(57)【要約】      （修正有）【課題】構造簡単かつ安価な、簡易宅配荷受けボックスを提供する。【解決手段】簡易宅配荷受けボックス１は、矩形の第１および第２のフレームハーフ３，４の内部空間を向かい合わせに入れ子状態で円滑に摺動可能かつ分離不能に抜き差し嵌合するよう連結した、矩形フレーム２を備え、第１フレームハーフ３には、底壁および一方の側壁の位置で、ドアとドア枠との間の隙間に挿入し得るドア係合フィン５を設け、ドア係合フィン５の遊端縁には、ドアとドア枠の隙間から抜け出るのを阻止するようドア内面に係合するフック６を設け、第２フレームハーフ４には、宅配荷物を受け入れるための開口部７、この開口部７に取り付けた開閉蓋８、および施錠手段９を設け、開閉蓋８には、郵便受け開口１１を設け、さらに矩形フレーム２の頂壁または側壁に持ち運び用の把手手段１２を設ける。【選択図】図１
0003168255.tif 000002
【実用新案登録請求の範囲】
【請求項１】
頂壁、底壁および互いに対向する２つの側壁、ならびに玄関ドアの外側面に接触させる背面壁で形成した矩形の第１フレームハーフと、頂壁、底壁および互いに対向する２つの側壁、ならびに玄関ドアの外側面から遠い方の前面壁で形成した矩形の第２フレームハーフとを有する矩形フレームであって、前記第１および第２のフレームハーフを、行李のように各フレームハーフの内部空間を向かい合わせにして前記第２フレームハーフが前記第１フレームハーフに対して離れる状態の展開位置と入れ子状態にした収縮位置との間で円滑に摺動可能かつ分離不能に抜き差し嵌合するよう連結し、また展開位置および収縮位置のそれぞれに釈放可能に保持できる、該矩形フレームを備え、前記第１フレームハーフには、底壁および一方の側壁の位置で、ドアとドア枠との間の隙間に挿入し得るドア係合フィンを着脱可能に設け、前記ドア係合フィンの遊端縁には、前記ドアとドア枠の隙間から抜け出るのを阻止するようドア内面に係合するフックを設け、前記第２フレームハーフの前面壁には、宅配荷物を受け入れるための開口部、この開口部に取り付けたスイングドア式またはスライドドア式の開閉蓋、および施錠手段を設け、前記開閉蓋には、開閉フラップ蓋により平素閉じている郵便受け開口を設け、さらに前記矩形フレームの頂壁または側壁に持ち運び用の把手手段を設けたことを特徴とする簡易宅配荷受けボックス。
【請求項２】
請求項１記載の簡易宅配荷受けボックスにおいて、前記第１フレームハーフを、前記第２フレームハーフより外形寸法よりも小さくし、収縮位置では第２フレームハーフ内に収納され、かつ第１フレームハーフの背面壁が前記第２フレームハーフの端縁で生ずる平面に一致する構成とした簡易宅配荷受けボックス。
【請求項３】
請求項１記載の簡易宅配荷受けボックスにおいて、前記第２フレームハーフを、前記第１フレームハーフより外形寸法よりも小さくし、収縮位置では第１フレームハーフ内に収納され、かつ第２フレームハーフの前面壁が前記第１フレームハーフの端縁で生ずる平面に一致する構成とした簡易宅配荷受けボックス。
【請求項４】
請求項１〜３のうちいずれか一項に記載の簡易宅配荷受けボックスにおいて、前記第２フレームハーフの少なくとも底壁の少なくとも４隅には、キャスタローラを設けた簡易宅配荷受けボックス。
【請求項５】
請求項１〜４のうちいずれか一項に記載の簡易宅配荷受ボックスにおいて、前記第１フレームハーフの背面壁に磁石プレートを設けた簡易宅配荷受ボックス。
【考案の詳細な説明】
【技術分野】
【０００１】
本考案は、玄関ドア前に置いて、宅配荷物を留守中に受け取ることができるようにした、簡易宅配荷受けボックスに関する。本明細書における「玄関ドア」は、ビルオフィス、集合住宅、もしくは戸建て住居等の玄関ドアを意味するものとする。
【背景技術】
【０００２】
本願人は、先に、玄関ドア自体に宅配荷受け構造を設けたものを提案した。（例えば、特許文献１および特許文献２参照。）
【特許文献１】特開２００７−２０５０４４号公報
【特許文献２】特開２００９‐０３０３８８号公報
【考案の概要】
【考案が解決しようとする課題】
【０００３】
しかし、本願人の先願発明である特許文献１および特許文献２に記載の宅配荷受け構造は、機構が複雑であり、コストがかかるという難点があった。
【０００４】
したがって、本考案の課題は、構造簡単かつ安価な簡易宅配荷受ボックスを得るにあり、また郵便受けとしても使用できる簡易宅配荷受けボックスを得るにある。
【課題を解決するための手段】
【０００５】
この目的を達成するため、本考案簡易宅配荷受けボックスは、頂壁、底壁および互いに対向する２つの側壁、ならびに玄関ドアの外側面に接触させる背面壁で形成した矩形の第１フレームハーフと、頂壁、底壁および互いに対向する２つの側壁、ならびに玄関ドアの外側面から遠い方の前面壁で形成した矩形の第２フレームハーフとを有する矩形フレームであって、これら第１および第２のフレームハーフを、行李のように各フレームハーフの内部空間を向かい合わせにして前記第２フレームハーフが前記第１フレームハーフに対して離れる状態の展開位置と入れ子状態にした収縮位置との間で案内手段に沿って円滑に摺動可能かつ分離不能に抜き差し嵌合するよう連結し、また展開位置および収縮位置のそれぞれに釈放可能に保持できる、矩形フレームを備え、前記第１フレームハーフには、底壁および一方の側壁の位置で、ドアとドア枠との間の隙間に挿入し得るドア係合フィンを着脱可能に設け、前記ドア係合フィンの遊端縁には、前記ドアとドア枠の隙間から抜け出るのを阻止するようドア内面に係合するフックを設け、前記第２フレームハーフの前面壁には、宅配荷物を受け入れるための開口部、この開口部に取り付けたスイングドア式またはスライドドア式の開閉蓋、および施錠手段を設け、前記開閉蓋には、開閉フラップ蓋により平素閉じている郵便受け開口を設け、さらに前記矩形フレームの頂壁または側壁に持ち運び用の把手手段を設けたことを特徴とする。ドア係合フィンを取り外した状態では、この荷受けボックスをドアに限らず、ブロック塀に取り付けたり、固定式ボックスとして使用でき、また必要に応じてこの荷受けボックスの受け部分を大きくして使用することもできる。
【考案の効果】
【０００６】
本考案簡易宅配荷受けボックスによれば、住人が留守をする場合、宅配ボックスを玄関ドア前に配置して宅配荷受けのために展開して外出する。住人から予め外出通知をされている宅配業者は、矩形フレームを展開位置に引き出し、開閉蓋を開けて矩形フレームの内部空間内に宅配荷物を投入し、開閉蓋を閉めて施錠手段の施錠をして立ち去る。ドア係合フィンにより不正者が宅配ボックスを持ち去るのを防止することができる。
帰宅した住人は、施錠手段を解錠して荷物を取り出し、展開した矩形フレームを収縮位置にし、開閉蓋を閉じ、また、簡易宅配荷受けボックスの把手手段を持ち、屋内に取り込みコンパクトに保管することができる。本考案簡易宅配荷受けボックスは、荷受けのみならず、集荷してもらうときにも利用できる。また、開閉蓋の郵便受け開口に宅配納品伝票または郵便物等を投函し、また開閉蓋を開いて投函物を取り出すことができる。
【０００７】
本考案によれば、宅配荷物の再配達の手間が省け、再配達にかかる人件費及び燃料代が節約でき、経済効果が高くなる。簡易宅配荷受けボックスは、展開しない状態で玄関ドア前に配置し、単なる郵便受けとしても利用でき、必要に応じて展開するように使用することができる。
【０００８】
好適な実施形態において、第１フレームハーフを、第２フレームハーフより外形寸法よりも小さくし、収縮位置では第２フレームハーフ内に収納され、かつ第１フレームハーフの背面壁が前記第２フレームハーフの端縁で生ずる平面に一致する構成、または第２フレームハーフを、第１フレームハーフより外形寸法よりも小さくし、収縮位置では第１フレームハーフ内に収納され、かつ第２フレームハーフの前面壁が前記第１フレームハーフの端縁で生ずる平面に一致する構成とする。この構成によれば、外観をスッキリさせることができる。
【０００９】
さらに好適な実施形態において、第２フレームハーフの少なくとも底壁の少なくとも４隅には、キャスタローラを設けると、矩形フレームの展開および収縮が円滑になり、好適である。
【００１０】
本考案の好適な実施形態において、第１フレームハーフの背面壁に磁石プレートを設ける。これにより、展開前にボックスのフックをドア内面に係合させてドアに設置する作業が容易になる。
【００１１】
つぎに、図面につき本考案の好適な実施例を説明する。
【図面の簡単な説明】
【００１２】
【図１】（ａ）は、本考案簡易宅配荷受けボックスの使用前の収縮した保管状態を示す正面図、（ｂ）は使用前の収縮した保管状態を示す斜視図、（ｃ）は使用時に蓋体を開放し、矩形フレームを展開位置に展開した状態を示す斜視図である。
【考案を実施するための形態】
【００１３】
図１は、本考案による好適な実施形態の簡易宅配荷受けボックス１を示す。この簡易宅配荷受けボックス１は矩形フレーム２を備え、この矩形フレーム２は、頂壁３Ａ、底壁３Ｂおよび互いに対向する２つの側壁３Ｃ、ならびに玄関ドアの外側面に接触させる背面壁３Ｄで形成した第１フレームハーフ３と、頂壁４Ａ、底壁４Ｂおよび互いに対向する２つの側壁４Ｃ、ならびに玄関ドアの外側面から遠い方の前面壁４Ｄで形成した第２フレームハーフ４とにより構成する。
【００１４】
これら第１および第２のフレームハーフ３，４は、行李のように各フレームハーフの内部空間を向かい合わせにして第２フレームハーフ４が第１フレームハーフ３に対して離れる状態の展開位置（図１（Ｃ）参照）と入れ子状態にした収縮位置（図１（ｂ）参照）との間で、好適には、案内手段（図示せず）に沿って円滑に摺動可能かつ分離不能に抜き差し嵌合するよう連結し、また展開位置および収縮位置のそれぞれに釈放可能に保持できるよう構成する。
【００１５】
第１フレームハーフ３には、底壁および一方の側壁の位置で、ドアとドア枠との間の隙間に挿入し得るドア係合フィン５を設け、ドア係合フィンの遊端縁には、ドアとドア枠の隙間から抜け出るのを阻止するようドア内面に係合するフック６を設ける。ドア係合フィン５の取り付けは、図示しないが、任意の手段、例えば、ビス留め、または第１フレームハーフ３およびドア係合フィン５の一方に設けた溝穴と他方に設けた突起との嵌合等により着脱可能に取り付けることもできる。第２フレームハーフ４の前面壁４Ｄには、宅配荷物を受け入れるための開口部７、この開口部に取り付けたスイングドアまたはスライドドア(引き戸)の形式とした開閉蓋８、および施錠手段９を設け、開閉蓋８には、開閉フラップ蓋１０により平素閉じている郵便受け開口１１を設け、さらに矩形フレーム２の頂壁または側壁に持ち運び用の把手手段１２を設ける。
【００１６】
図示の実施例では、第１フレームハーフ３を、第２フレームハーフ４より外形寸法よりも小さくし、収縮位置では第２フレームハーフ４内に収納され、かつ第１フレームハーフ３の背面壁が第２フレームハーフ４の端縁で生ずる平面に一致する構成とした。しかし、この逆に、第２フレームハーフ４を、第１フレームハーフ３より外形寸法よりも小さくし、収縮位置では第１フレームハーフ４内に収納され、かつ第２フレームハーフ４の前面壁４Ｄが第１フレームハーフ３の端縁で生ずる平面に一致する構成にすることもできる。
【００１７】
第１フレームハーフ３の背面壁３Ｄには、磁石プレート１３を設け、ドア側の金属部分に吸着できるよう構成すると、ドア係合フィンをドアとドア枠との間の隙間に挿入して、フックをドア内面に係合させるセット作業がし易くなり、好適である。
【００１８】
さらに好適な実施形態においては、図示しないが、第２フレームハーフ４の少なくとも底壁の少なくとも４隅に、キャスタローラを設け、第１フレームハーフ３に対する第２フレームハーフ４の展開または収縮を容易にする。
【００１９】
第２フレームハーフ４の前面壁４Ｄに設ける施錠手段９は、前面壁４Ｄと開閉蓋８との間に設ける。例えば、開閉蓋８に設けた暗証ダイヤル式の操作ダイヤルつまみ９Ａと、この操作ダイヤルつまみ９Ａにより動作するラッチ（図示せず）と、前面壁４Ｄの開口部７の端縁に設けた係止突片フランジ（図示せず）とにより構成することができる。しかし、この施錠手段９は、任意な他の施錠手段、例えば、電子錠とすることもできる。
【００２０】
矩形フレーム２の頂壁には持ち運び用の把手手段１２を設ける。図示の実施形態では、この把手手段１１として、頂壁に設けた帯状もしくは紐状のストラップ１２を示したが、付加的にまたは代替的に頂壁の両側端部もしくは両側側壁に設けた任意の手掛かり（図示せず）を設けることができる。例えば、把手状の手掛かりを設ける場合、この手掛かりには、フレームハーフ相互を展開位置または収縮位置に釈放可能に保持する閂の形式の係止手段を設け、手掛かりに設けたボタンまたはレバーを操作することにより閂が釈放されたり、閂がかかったりするようにできる。
【００２１】
矩形フレーム２を展開したとき、通常のみかん箱またはりんご箱を１個、収納また取り出すのが容易となる寸法にすると好適である。
【００２２】
簡易宅配荷受けボックス１は、玄関ドア前に配置し、荷受けのために第２フレームハーフ４を第１フレームハーフ３に対して展開位置まで展開し、また不使用時には、収縮させてコンパクトな状態にして屋内に保管できる。
【００２３】
さらに、第１フレームハーフ３の背面壁３Ｄの取り出し開口１４に設けた回動式またはスライド式のシャッター１５を設けると、郵便物を取り出すのに都合がよい。
【００２４】
宅配員は、宅配荷物を展開した矩形フレーム２内の空間に投入した後、開閉蓋８を閉じ、施錠手段９の施錠をして（暗証ダイヤル式の場合、操作ダイヤルつまみ９Ａを任意に回転して）、配達伝票を郵便受け開口１１に投函し、立ち去ることができ、再配達が不要となる。受領（納品）承認としてシャチハタネーム（登録商標）のようなスタンパを荷受けボックス１に設けておき、宅配員が押印できるようにすると好適である。
【００２５】
女性のひとり住まい、または高齢者住まいでは、在宅時でも、玄関ドア前に、本考案による簡易荷受けボックス１の矩形フレーム２を展開して配置することができる。宅配員がボックス１内に投入した荷物は、宅配員が立ち去った後に施錠手段１０を解錠して取り出し、屋内に持ち込む。このようにして、宅配業者または郵便配達を装う不審者の侵入および犯罪を防止することができる。郵便物は、前面壁４Ｄの開閉蓋８、または背面壁３Ｄの取り出し開口１４から取り出すことができる。
【産業上の利用可能性】
【００２６】
本考案簡易宅配荷受けボックスは、ビルオフィス、集合住宅、もしくは戸建て住居等の玄関ドアもしくは玄関ドア近傍の壁に配置して利用できる。本考案簡易宅配荷受けボックスは、荷受けのみならず、集荷してもらうときにも利用できる。
【符号の説明】
【００２７】
１    簡易宅配荷受けボックス
２    矩形フレーム
３    第１フレームハーフ
３Ａ    頂壁
３Ｂ    底壁
３Ｃ    側壁
３Ｄ    背面壁
４    第２フレームハーフ
４Ａ    頂壁
４Ｂ    底壁
４Ｃ    側壁
４Ｄ    前面壁
５    ドア係合フィン
６    フック
７    開口部
８    開閉蓋
９    施錠手段
９Ａ    操作ダイヤルつまみ
１０    開閉フラップ蓋
１１    郵便受け開口
１２    把手手段
１３    磁石プレート
１４    取り出し開口
１５    シャッター
【図１】
0003168255.tif 000003